(57)【要約】      （修正有）【課題】アンモニアを燃料として燃焼可能なボイラにおいて、窒素酸化物の増加を抑制する。【解決手段】火炉に設置されると共にアンモニアを燃料として燃焼可能な燃焼装置４であって、燃料の噴射方向から見て中心部に配置されると共にアンモニアを噴射する内筒ノズル４１と、燃料の噴射方向から見て内筒ノズル４１を径方向外側から囲んで配置されると共に内筒ノズル４１の周囲にアンモニアを噴射する外筒ノズル４２とを備える。また、外筒ノズル４２の内部に配置され、内筒ノズル４１の周囲に噴射されるアンモニアの流れを旋回させる旋回器４５を備える。【選択図】図２
2020041748.tif 000002
【特許請求の範囲】
【請求項１】
火炉に設置されると共にアンモニアを燃料として燃焼可能な燃焼装置であって、
前記燃料の噴射方向から見て中心部に配置されると共に前記アンモニアを噴射する内筒ノズルと、
前記燃料の噴射方向から見て前記内筒ノズルを径方向外側から囲んで配置されると共に前記内筒ノズルの周囲に前記アンモニアを噴射する外筒ノズルと
を備えることを特徴とする燃焼装置。
【請求項２】
前記外筒ノズルの内部に配置され、前記内筒ノズルの周囲に噴射される前記アンモニアの流れを旋回させる旋回器を備えることを特徴とする請求項１記載の燃焼装置。
【請求項３】
前記燃料の噴射方向から見て前記外筒ノズルの周囲に微粉炭を含む空気を噴射する微粉炭噴射ノズルを備えることを特徴とする請求項１または２記載の燃焼装置。
【請求項４】
前記微粉炭噴射ノズルは、前記燃料の噴射方向から見て前記外筒ノズルを径方向外側から囲んで配置されると共に前記外筒ノズルの外壁面との間で前記微粉炭を含む空気を案内する一重管構造を有することを特徴とする請求項３記載の燃焼装置。
【請求項５】
前記微粉炭噴射ノズルは、前記燃料の噴射方向から見て前記外筒ノズルを径方向外側から囲んで配置される内側管と、前記燃料の噴射方向から見て内側管を径方向外側から囲んで配置されると共に前記内側管との間で前記微粉炭を含む空気を案内する外側管とを有する二重管構造を有することを特徴とする請求項３記載の燃焼装置。
【請求項６】
アンモニアを燃料として燃焼可能な燃焼装置と、前記燃焼装置が取り付けられた火炉とを備えるボイラであって、
前記燃焼装置として、請求項１〜５いずれか一項に記載の燃焼装置を備えることを特徴とするボイラ。
【請求項７】
前記内筒ノズルに供給する前記アンモニアの流量を調節する第１流量調節部と、前記外筒ノズルに供給する前記アンモニアの流量を調節する第２流量調節部とを備えることを特徴とする請求項６記載のボイラ。
【発明の詳細な説明】
【技術分野】
【０００１】
本発明は、燃焼装置及びボイラに関するものである。
【背景技術】
【０００２】
下記特許文献１には、アンモニアを含む燃料を燃焼させる複合エネルギーシステムが開示されている。この複合エネルギーシステムは、二酸化炭素の排出量を削減することを目的として、主燃料である天然ガスにアンモニアを添加して燃焼させるものである。
【先行技術文献】
【特許文献】
【０００３】
【特許文献１】特開２０１６−０３２３９１号公報
【発明の概要】
【発明が解決しようとする課題】
【０００４】
ところで、アンモニアを燃料の一部として燃焼させた場合には燃焼ガスに含まれる窒素酸化物（ＮＯｘ）の増加が懸念される。上記背景技術は、専ら二酸化炭素の排出量の削減を目的としており、窒素酸化物を低減さることについて何ら解決策を提示するものではない。天然ガスのような炭素燃料とアンモニアのような窒素含有燃料とを一緒に燃焼させる場合には、実用性の観点から窒素酸化物の増加を抑制することが必要不可欠である。
【０００５】
本発明は、上述した事情に鑑みてなされたものであり、アンモニアを燃料として燃焼可能なボイラにおいて、窒素酸化物の増加を抑制することを目的とするものである。
【課題を解決するための手段】
【０００６】
本発明は、上記課題を解決するための手段として、以下の構成を採用する。
【０００７】
第１の発明は、火炉に設置されると共にアンモニアを燃料として燃焼可能な燃焼装置であって、上記燃料の噴射方向から見て中心部に配置されると共に上記アンモニアを噴射する内筒ノズルと、上記燃料の噴射方向から見て上記内筒ノズルを径方向外側から囲んで配置されると共に上記内筒ノズルの周囲に上記アンモニアを噴射する外筒ノズルとを備えるという構成を採用する。
【０００８】
第２の発明は、上記第１の発明において、上記外筒ノズルの内部に配置され、上記内筒ノズルの周囲に噴射される上記アンモニアの流れを旋回させる旋回器を備えるという構成を採用する。
【０００９】
第３の発明は、上記第１または第２の発明において、上記燃料の噴射方向から見て上記外筒ノズルの周囲に微粉炭を含む空気を噴射する微粉炭噴射ノズルを備えるという構成を採用する。
【００１０】
第４の発明は、上記第３の発明において、上記微粉炭噴射ノズルが、上記燃料の噴射方向から見て上記外筒ノズルを径方向外側から囲んで配置されると共に上記外筒ノズルの外壁面との間で上記微粉炭を含む空気を案内する一重管構造を有するという構成を採用する。
【００１１】
第５の発明は、上記第３の発明において、上記微粉炭噴射ノズルが、上記燃料の噴射方向から見て上記外筒ノズルを径方向外側から囲んで配置される内側管と、上記燃料の噴射方向から見て内側管を径方向外側から囲んで配置されると共に上記内側管との間で上記微粉炭を含む空気を案内する外側管とを有する二重管構造を有するという構成を採用する。
【００１２】
第６の発明は、アンモニアを燃料として燃焼可能な燃焼装置と、上記燃焼装置が取り付けられた火炉とを備えるボイラであって、上記燃焼装置として、上記第１〜第５いずれかの発明である燃焼装置を備えるという構成を採用する。
【００１３】
第７の発明は、上記第６の発明において、上記内筒ノズルに供給する上記アンモニアの流量を調節する第１流量調節部と、上記外筒ノズルに供給する上記アンモニアの流量を調節する第２流量調節部とを備えるという構成を採用する。
【発明の効果】
【００１４】
本発明によれば、内筒ノズルから噴射されたアンモニアが燃料の噴射方向から見て火炎の中央部にアンモニア濃度が高く酸素濃度が低い還元領域を形成する。一方で、外筒ノズルから内筒ノズルの周囲に噴射されたアンモニアが酸素と混合して燃焼されることによって生成された窒素酸化物は、火炎の外縁から中央に向けて還流する循環流に乗って還元領域に供給される。この結果、火炎の外縁で生成された窒素酸化物が内筒ノズルから噴射されたアンモニアによって形成された還元領域にて還元されて窒素ガス（Ｎ２）となる。よって、本発明によれば、アンモニアを燃料として燃焼可能なボイラにおいて、窒素酸化物の増加を抑制することが可能となる。
【図面の簡単な説明】
【００１５】
【図１】本発明の第１実施形態におけるボイラの要部構成を示す模式図である。
【図２】本発明の第１実施形態におけるボイラが備えるバーナの概略構成を模式的に示す断面図である。
【図３】本発明の第１実施形態のボイラが備えるバーナが形成する火炎を含む模式図である。
【図４】本発明の第２実施形態におけるボイラが備えるバーナの概略構成を模式的に示す断面図である。
【図５】本発明の第３施形態におけるボイラの要部構成を示す模式図である。
【発明を実施するための形態】
【００１６】
以下、図面を参照して、本発明に係る燃焼装置及びボイラの一実施形態について説明する。
【００１７】
（第１実施形態）
図１は、本第１実施形態のボイラ１の要部構成を示す模式図である。図１に示すように、ボイラ１は、火炉２と、煙道３と、バーナ４（燃焼装置）と、二段燃焼空気供給部５と、アンモニア供給部６と、微粉炭供給部７とを備えている。
【００１８】
火炉２は、垂直かつ筒状に設けられた炉壁によって構成され、アンモニアや微粉炭等の燃料を燃焼させて燃焼熱を発生させる炉体である。この火炉２では、燃料が燃焼することによって高温の燃焼ガスが発生する。また、火炉２の底部には、燃料の燃焼によって発生する灰分を外部に排出する排出口２ａが設けられている。
【００１９】
煙道３は、火炉２の上部と接続され、火炉２で発生した燃焼ガスを排ガスとして外部に案内する。このような煙道３は、火炉２の上部から水平に延出する水平煙道３ａと、水平煙道３ａの端部から下方に延出する後部煙道３ｂとを備えている。
【００２０】
なお、図１では省略しているが、ボイラ１は、火炉２の上部等に設置される過熱器を備えている。過熱器は、火炉２で発生した燃焼熱と水とを熱交換することによって水蒸気を生成する。また、図１では省略しているが、ボイラ１は、必要に応じて再熱器、節炭器、空気予熱器等を備える。
【００２１】
バーナ４は、火炉２の下部の壁部に配置されている。このバーナ４は、火炉２の周方向に複数設置されている。また、図１では省略しているが、バーナ４は、火炉２の高さ方向にも複数設置されている。これらのバーナ４は、火炉２の下部に二次元状かつ対向配置されており、燃料を噴射して燃焼させる。これらのバーナ４は、何れもアンモニア及び微粉炭を燃料として火炉２内に噴射可能な複合バーナである。
【００２２】
なお、図１では省略しているが、火炉２にはバーナ４から噴射された燃料（アンモニア及び微粉炭）を着火させる着火装置が設けられている。また、図１では省略しているが、ボイラ１は、バーナ４に対して燃焼空気を供給する燃焼空気供給部を有している。各バーナ４から火炉２内に燃焼空気と共に噴射された燃料（アンモニア及び微粉炭）は、上述の着火装置の働きによって着火して燃焼する。
【００２３】
なお、ボイラ１に設置されるバーナ４は、全てが上述のような複合バーナである必要はない。例えば、石炭専焼のバーナやアンモニア専焼のバーナを備える構成を採用することもできる。
【００２４】
ここで、アンモニア（ＮＨ３）は、分子式によって示されるように水素（Ｈ）と窒素（Ｎ）との化合物であり、構成原子として炭素（Ｃ）を含まない。また、このアンモニア（低炭素燃料）は、難燃性の物質として知られるものの、メタン（ＣＨ３）と同様に３つの水素原子を有する水素キャリア物質である。一方、微粉炭は、化石燃料である石炭を数マイクロメートル程度の大きさまで粉砕処理したものであり、ボイラ用の燃料として一般的に使用されている。すなわち、アンモニアは、微粉炭（炭素燃料）よりも炭素濃度が低い低炭素燃料である。
【００２５】
図２は、バーナ４の概略構成を模式的に示す断面図である。バーナ４は、内筒ノズル４１と、外筒ノズル４２と、微粉炭噴射ノズル４３とを備えており、全体として内筒ノズル４１の軸心Ｌを中心とした略円筒状に形成されている。内筒ノズル４１は、後端部がアンモニア供給部６と接続されており、先端部から火炉２の内部にアンモニアを噴射する。この内筒ノズル４１は、バーナ４のアンモニアの噴射方向から見て、バーナ４の中心部に配置されている。
【００２６】
外筒ノズル４２は、バーナ４のアンモニアの噴射方向（軸心Ｌに沿った方向）から見て、内筒ノズル４１を径方向外側から囲うように内筒ノズル４１と同軸配置されている。この外筒ノズル４２は、後端部がアンモニア供給部６と接続されており、先端部から内筒ノズル４１の周囲にアンモニアを噴射する。
【００２７】
微粉炭噴射ノズル４３は、バーナ４のアンモニアの噴射方向から見て外筒ノズル４２を径方向外側から囲むように、内筒ノズル４１及び外筒ノズル４２と同心円状に設けられている。この微粉炭噴射ノズル４３は、後端部が微粉炭供給部７と接続されており、先端部から火炉２の内部に微粉炭を含む空気を噴射する。つまり、本実施形態において、微粉炭噴射ノズル４３は、外筒ノズル４２の外壁面との間で微粉炭を含む空気を案内する一重管構造とされている。
【００２８】
また、バーナ４は、内筒ノズル４１、外筒ノズル４２及び微粉炭噴射ノズル４３を囲うように配設される二次空気供給部４４と、外筒ノズル４２の内部に配置されるアンモニア旋回器４５（旋回器）と、二次空気供給部４４の内部に配置される空気旋回器４６とを備えている。  二次空気供給部４４は、火炎に対して径方向外側から燃焼用の空気を供給する。
【００２９】
アンモニア旋回器４５は、内筒ノズル４１と外筒ノズル４２との間に配置されており、軸心Ｌを中心とした周方向に配列された複数の翼部によって形成された翼列である。このアンモニア旋回器４５は、内筒ノズル４１と外筒ノズル４２との間に流れるアンモニアの流れに軸心Ｌを中心とする旋回成分を付与する。この結果、外筒ノズル４２から噴射されるアンモニアは、噴射方向から見て、軸心Ｌを中心として旋回するように噴射される。
【００３０】
空気旋回器４６は、軸心Ｌを中心とした周方向に配列された複数の翼部によって形成された翼列である。この空気旋回器４６は、二次空気供給部４４の内部を流れる空気の流れに軸心Ｌを中心とする旋回成分を付与する。この結果、二次空気供給部４４から火炉２に供給される空気は、アンモニアの噴射方向から見て、軸心Ｌを中心として旋回するように噴射される。
【００３１】
このようなバーナ４では、内筒ノズル４１及び外筒ノズル４２からアンモニアが噴射され、微粉炭噴射ノズル４３から微粉炭が噴射され、さらに燃焼用の空気が供給されることによって、図３に示すように、バーナ４の前方に対して火炎Ｆが形成される。このように火炎Ｆが形成されると、火炎Ｆの外縁領域（内筒ノズル４１の軸心Ｌの径方向外側の領域）には、アンモニアに含まれる窒素（Ｎ）と空気に含まれる酸素（Ｏ）とが活発に反応することによって多くの窒素酸化物が発生する窒素酸化物発生領域Ｒ１が形成される。また、火炎Ｆの中央領域には、内筒ノズル４１から噴射されたアンモニアによってアンモニアが高濃度でかつ酸素が低濃度な還元領域Ｒ２が形成される。
【００３２】
図１に戻り、二段燃焼空気供給部５は、バーナ４の上方にて火炉２と接続されており、火炉２の内部に二段燃焼用の空気を供給する。このような二段燃焼空気供給部５によって二段燃焼用の空気を供給することで、バーナ４で燃焼された燃料の未燃分が二段燃焼空気によって燃焼され、ボイラ１の収熱性能を高めると共に、排ガスに含まれる燃料の未燃分を減少させることができる。
【００３３】
アンモニア供給部６は、アンモニア供給源６ａと、燃料アンモニア供給部６ｂと、アンモニア供給制御装置６ｃとを備えている。アンモニア供給源６ａは、アンモニアを貯蔵するタンク等からなる。なお、アンモニア供給源６ａは、必ずしもアンモニア供給部６の構成要素である必要はない。つまり、アンモニア供給部６は、外部に設置されたアンモニア供給源６ａからアンモニアを取り込むようにしても良い。
【００３４】
燃料アンモニア供給部６ｂは、アンモニア供給源６ａとバーナ４とを接続する燃料アンモニア供給配管６ｂ１と、燃料アンモニア供給配管６ｂ１の途中部位に設置される流量調節弁６ｂ２とを備えている。燃料アンモニア供給配管６ｂ１は、アンモニア供給源６ａから供給されたアンモニアをバーナ４に案内する配管である。流量調節弁６ｂ２は、アンモニア供給源６ａから燃料アンモニア供給配管６ｂ１に供給されるアンモニアの流量を調節するバルブである。
【００３５】
アンモニア供給制御装置６ｃは、流量調節弁６ｂ２を制御し、流量調節弁６ｂ２の開度を調節する。アンモニア供給制御装置６ｃは、外部の指令等に基づいて、流量調節弁６ｂ２の開度を調節することによってアンモニア供給源６ａから取り込まれるアンモニアの流量を調節する。
【００３６】
微粉炭供給部７は、バーナ４と接続されており、石炭を粉砕して微粉炭とすると共に微粉炭をバーナ４に対して供給する。この微粉炭供給部７は、例えば石炭を数マイクロメートル程度の粒径まで粉砕して微粉炭とするミルと、ミルによって生成された微粉炭をバーナ４に供給する給炭機とを備えている。なお、微粉炭供給部７は、給炭機を備えずにミルから直接的に微粉炭をバーナ４に供給する構成とすることもできる。
【００３７】
このような本実施形態のボイラ１では、例えば火炉２の内部が理論空気量よりも低い空気雰囲気に設定される。その後、アンモニア供給部６からバーナ４にアンモニアが供給され、微粉炭供給部７からバーナ４に微粉炭が供給され、アンモニア及び微粉炭を燃料としてバーナ４で火炎が形成される。また、二段燃焼空気供給部５によって二段燃焼用の空気が火炉２の内部に供給されることによって、バーナ４で生成した燃焼ガスに含まれる未燃の燃料が燃焼される。燃料が燃焼されることで生成された燃焼ガスは、火炉２の下部から上部に移動し、煙道３を通じて外部に案内される。
【００３８】
ここで、本実施形態のバーナ４では、内筒ノズル４１から噴射されたアンモニアが燃料の噴射方向から見て火炎Ｆの中央部にアンモニア濃度が高く酸素濃度が低い還元領域Ｒ２を形成する。一方で、外筒ノズル４２から内筒ノズル４１の周囲に噴射されたアンモニアが酸素と混合して燃焼されることによって生成された窒素酸化物は、火炎の相対的に高圧の外縁から相対的に負圧の中央に向けて還流する循環流に乗って還元領域Ｒ２に供給される。この結果、火炎Ｆの外縁で生成された窒素酸化物が内筒ノズル４１から噴射されたアンモニアによって形成された還元領域Ｒ２にて還元されて窒素ガス（Ｎ２）となる。よって、本実施形態のバーナ４によれば、窒素酸化物の増加を抑制することが可能となる。
【００３９】
また、本実施形態におけるバーナ４は、外筒ノズル４２の内部に配置され、内筒ノズル４１の周囲に噴射されるアンモニアの流れを旋回させるアンモニア旋回器４５を備えている。アンモニアを旋回させずに外筒ノズル４２から噴射した場合には、噴射されたアンモニアの温度が火炉２の内部温度と比較して低いことから、アンモニアの密度が高く、噴射されたアンモニアが重量によって下側に偏ることが確認されている。これに対して、アンモニアを旋回させて外筒ノズル４２から噴射することによって、旋回による遠心力によってアンモニアが軸心Ｌを中心とする径方向に均等に配分することができる。このため、火炎Ｆの周囲においてアンモニア濃度に偏りができることを防止し、局所的に大量の窒素酸化物が発生することを防止することができる。この結果、還元領域Ｒ２に還流されない窒素酸化物の量を減少させ、結果として窒素酸化物の増加をより確実に抑制することが可能となる。
【００４０】
また、本実施形態におけるバーナ４は、バーナ４のアンモニアの噴射方向から見て外筒ノズル４２の周囲に微粉炭を含む空気を噴射する微粉炭噴射ノズル４３を備えている。このため、本実施形態におけるバーナ４は、アンモニアに加えて微粉炭を燃料として燃焼ガスを生成することも可能となっている。
【００４１】
また、微粉炭噴射ノズル４３は、外筒ノズル４２の外壁面との間で微粉炭を含む空気を案内する一重管構造とされている。このため、微粉炭噴射ノズル４３を二重管構造とする場合と比較して、バーナ４を小型化することが可能となる。
【００４２】
（第２実施形態）
次に、本発明の第２実施形態におけるボイラが備えるバーナ４Ａについて、図４を参照して説明する。なお、本実施形態の説明において、上記第１実施形態と同様の部分については、その説明を省略あるいは簡略化する。
【００４３】
図４は、本実施形態のボイラが備えるバーナ４Ａの概略構成を模式的に示す断面図である。この図に示すように、本実施形態においてバーナ４Ａの微粉炭噴射ノズル４３は、内側管４３ａと、外側管４３ｂとを備えている。内側管４３ａは、バーナ４Ａのアンモニアの噴射方向から見て外筒ノズル４２を径方向外側から囲んで配置され、外筒ノズル４２と同軸配置されている。外側管４３ｂは、バーナ４Ａのアンモニアの噴射方向から見て内側管４３ａを径方向外側から囲んで配置されると共に内側管４３ａと同軸配置されている。この外側管４３ｂは、内側管４３ａとの間で微粉炭を含む空気を案内する。つまり、本実施形態において微粉炭噴射ノズル４３は、内側管４３ａと外側管４３ｂとを有する二重管構造とされている。
【００４４】
このような本実施形態におけるバーナ４においては、例えば予め内筒ノズル４１及び外筒ノズル４２と別体として微粉炭噴射ノズル４３をユニット化することができ、バーナ４Ａの組み立てやメンテナンスにおける作業を容易化することができる。また、微粉炭噴射ノズル４３の形状や噴射方向を、内筒ノズル４１や外筒ノズル４２に依存することなく設定することができるため、微粉炭の噴射角度等を任意に設定可能となる。
【００４５】
（第３実施形態）
次に、本発明の第３実施形態におけるボイラ１Ａについて、図５を参照して説明する。なお、本実施形態の説明において、上記第１実施形態と同様の部分については、その説明を省略あるいは簡略化する。
【００４６】
図５は、本実施形態のボイラ１Ａの要部構成を示す模式図である。図５に示すように、ボイラ１Ａにおいて、燃料アンモニア供給部６ｂは、アンモニア供給源６ａとバーナ４の内筒ノズル４１とを接続する第１配管６ｂ３と、第１配管６ｂ３の途中部位に設置される第１流量調節弁６ｂ４（第１流量調節部）とを備えている。また、燃料アンモニア供給部６ｂは、アンモニア供給源６ａとバーナ４の外筒ノズル４２とを接続する第２配管６ｂ５と、第２配管６ｂ５の途中部位に設置される第２流量調節弁６ｂ６（第２流量調節部）とを備えている。
【００４７】
また、本実施形態においてアンモニア供給制御装置６ｃは、第１流量調節弁６ｂ４を制御して第１流量調節弁６ｂ４の開度を調節する。また、アンモニア供給制御装置６ｃは、第２流量調節弁６ｂ６を制御して第２流量調節弁６ｂ６の開度を調節する。このようにアンモニア供給制御装置６ｃによって制御される第１流量調節弁６ｂ４によって、内筒ノズル４１に供給されるアンモニアの流量が調節される。また、アンモニア供給制御装置６ｃによって制御される第２流量調節弁６ｂ６によって外筒ノズル４２に供給されるアンモニアの流量が調節される。
【００４８】
このような本実施形態のボイラ１Ａによれば、内筒ノズル４１から噴射されるアンモニアの流量と、外筒ノズル４２から噴射されるアンモニア（内筒ノズル４１の周囲に噴射されるアンモニア）の流量とを個別に調節することができる。このため、例えば還元領域Ｒ２のアンモニア濃度が窒素酸化物の減少に最適化されるように、外筒ノズル４２から噴射されるアンモニアの流量を変化させることなく、内筒ノズル４１から噴射されるアンモニアの流量を調節することができる。
【００４９】
以上、添付図面を参照しながら本発明の好適な実施形態について説明したが、本発明は上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００５０】
例えば、上記実施形態においては、微粉炭とアンモニアとを燃料として混焼させるボイラについて説明した。しかしながら、本発明はこれに限定されるものではない。例えば、天然ガスとアンモニアを燃料として混焼させる構成、重油や軽油とアンモニアを燃料として混焼させる構成、あるいは、アンモニアのみを燃料として燃焼させる構成等を採用することが可能である。つまり、本発明は、アンモニアを燃料として燃焼可能なボイラ及びバーナに適用することが可能である。
【００５１】
また、上記実施形態においては、アンモニア旋回器４５を備える構成を採用した。しかしながら、本発明はこれに限定されるものではなく、アンモニア旋回器４５を備えない構成を採用することも可能である。
【符号の説明】
【００５２】
１……ボイラ
１Ａ……ボイラ
２……火炉
２ａ……排出口
３……煙道
３ａ……水平煙道
３ｂ……後部煙道
４……バーナ
４Ａ……バーナ
５……二段燃焼空気供給部
６……アンモニア供給部
６ａ……アンモニア供給源
６ｂ……燃料アンモニア供給部
６ｂ１……燃料アンモニア供給配管
６ｂ２……流量調節弁
６ｂ３……第１配管
６ｂ４……第１流量調節弁（第１流量調節部）
６ｂ５……第２配管
６ｂ６……第２流量調節弁（第２流量調節部）
６ｃ……アンモニア供給制御装置
７……微粉炭供給部
４１……内筒ノズル
４２……外筒ノズル
４３……微粉炭噴射ノズル
４３ａ……内側管
４３ｂ……外側管
４４……二次空気供給部
４５……アンモニア旋回器（旋回器）
４６……空気旋回器
Ｆ……火炎
Ｌ……軸心
Ｒ１……窒素酸化物発生領域
Ｒ２……還元領域
【図１】
2020041748.tif 000003
【図２】
2020041748.tif 000004
【図３】
2020041748.tif 000005
【図４】
2020041748.tif 000006
【図５】
2020041748.tif 000007